(57)【特許請求の範囲】
【請求項１】
噴霧流体を噴霧用媒体と混合して微粒化した混合流体を噴霧する噴霧ノズルであって、前記噴霧ノズルは噴霧ノズルの外面を形成する隔壁と、この隔壁の内部に収容される構造物とから構成されており、
前記噴霧ノズルの入口側となる前記構造物の外面に複数の溝部を設けて前記隔壁の内壁とこれらの溝部とで噴霧流体を供給する複数の噴霧流体流路を形成し、
前記噴霧ノズルの入口側となる前記構造物の内部に噴霧用媒体を供給する複数の噴霧用媒体流路を形成し、
噴霧流体を供給する前記複数の噴霧流体流路には、その噴霧流体流路の途中に、前記噴霧用媒体流路が連通して前記噴霧流体と該噴霧用媒体流路から供給された噴霧用媒体とが合流して混合流体となる第１の合流部を形成し、
前記第１の合流部の下流側となる前記複数の噴霧流体流路には、この噴霧流体流路を流下した混合流体が互いに対向して流れるように該噴霧流体流路と連通した混合流体流路を対向して配設し、
前記混合流体流路には、噴霧ノズルの先端部の近傍に、対向して配設した前記混合流体流路を流下した混合流体が互いに衝突する第２の合流部を形成し、
前記混合流体流路に形成した第２の合流部に面した噴霧ノズルの先端部の前記隔壁に、混合流体を噴霧ノズルから外部に噴霧する出口孔を設け、
前記混合流体流路の前記出口孔の噴出側と対向側となる第２の合流部に面した流路壁面に前記混合流体流路内に突出した部分を設け、第２の合流部に面した前記混合流体流路を形成する溝の深さが、第２の合流部の上流側となる部分での混合流体流路を形成する溝の深さよりも短くなるように形成していることを特徴とする噴霧ノズル。
【請求項２】
噴霧流体を噴霧用媒体と混合して微粒化させる噴霧ノズルであって、前記噴霧ノズルは噴霧ノズルの外面を形成する隔壁と、この隔壁の内部に収容される構造物とから構成されており、
前記噴霧ノズルの入口側となる前記構造物の外面に複数の溝部を設けて前記隔壁の内壁とこれらの溝部とで噴霧流体を供給する複数の噴霧流体流路を形成し、
前記噴霧ノズルの入口側となる前記構造物の内部に噴霧用媒体を供給する複数の噴霧用媒体流路を形成し、
噴霧流体を供給する前記複数の噴霧流体流路には、その噴霧流体流路の途中に、前記噴霧用媒体流路が連通して前記噴霧流体と該噴霧用媒体流路から供給された噴霧用媒体とが合流して混合流体となる第１の合流部を形成し、
前記第１の合流部の下流側となる前記複数の噴霧流体流路には、この噴霧流体流路を流下した混合流体が互いに対向して流れるように該噴霧流体流路と連通した混合流体流路を対向して配設し、
前記混合流体流路には、噴霧ノズルの先端部の近傍に、対向して配設した前記混合流体流路を流下した混合流体が互いに衝突する第２の合流部を形成し、
前記混合流体流路に形成した第２の合流部に面した噴霧ノズルの先端部の前記隔壁に、混合流体を噴霧ノズルから外部に噴霧する出口孔を設け、
前記混合流体流路の前記出口孔の噴出側と対向側となる流路壁面に、混合流体の流れ方向と垂直な断面において該混合流体流路の流路幅方向の中央部に凸状部を設け、前記混合流体流路を形成する溝の深さは、流路幅方向の中央部での溝の深さが、流路幅方向の端部での溝の深さに比べて短くなるように形成していることを特徴とする噴霧ノズル。
【請求項３】
請求項１又は２に記載の噴霧ノズルにおいて、
前記第２の合流部に面した混合流体流路に形成した縮流部は、前記第２の合流部に面した前記隔壁に設けた出口孔とは反対側となる前記構造物の壁面に障害物となる該混合流体流路内に突出した突出部によって形成していることを特徴とする噴霧ノズル。
【請求項４】
請求項１又は２に記載の噴霧ノズルにおいて、
前記混合流体流路内に突出するように前記構造物の壁面に設けた突出部は、前記構造物に取り換え可能に設置されていることを特徴とする噴霧ノズル。
【請求項５】
請求項１又は２に記載の噴霧ノズルにおいて、
前記混合流体流路の第２の合流部に面した出口孔を形成した隔壁に、対向して配置された前記混合流体流路を通じて前記第２の合流部に流下する混合流体の流れ方向と直交方向に第２の溝部を設け、前記出口孔は前記第２の合流部と前記第２の溝部との交差部に形成していることを特徴とする噴霧ノズル。
【請求項６】
請求項１又は２に記載の噴霧ノズルにおいて、
前記混合流体流路には、該混合流体流路が前記噴霧流体流路と連通する連通部に混合流体の流れ方向を変える屈曲部が形成されていることを特徴とする噴霧ノズル。
【請求項７】
液体燃料を燃料として利用する噴霧ノズルを備えたバーナであって、
噴霧ノズルとして請求項１〜６の何れか１項に記載の噴霧ノズルを用い、前記液体燃料を前記噴霧流体として前記噴霧ノズルに供給し、蒸気または圧縮空気を前記噴霧用媒体として前記噴霧ノズルに供給することを特徴とする噴霧ノズルを備えたバーナ。
【請求項８】
固体燃料とその搬送気体を噴出する燃料ノズルと、液体燃料を噴霧する噴霧ノズルと、前記固体燃料及び液体燃料を燃焼させる燃焼用気体を噴出する燃焼用気体ノズルを備えたバーナであって、
前記噴霧ノズルとして、請求項１〜６の何れか１項に記載の噴霧ノズルを用い、前記液体燃料を前記噴霧流体として前記噴霧ノズルに供給し、蒸気または圧縮空気を前記噴霧用媒体として前記噴霧ノズルに供給することを特徴とする噴霧ノズルを備えたバーナ。
【請求項９】
化石燃料を燃焼させるバーナを備えた燃焼装置であって、
化石燃料を燃焼させる燃焼炉と、前記燃焼炉に化石燃料を供給する燃料供給系統と、前記燃焼炉に燃焼用気体を供給する燃焼用気体供給系統と、前記燃料供給系統と前記燃焼用気体供給系統が接続し前記燃焼炉の炉壁に設けられた化石燃料を燃焼させるバーナと、前記燃焼炉で発生した燃焼排ガスから熱回収する熱交換器と、前記熱回収された燃焼排ガスを前記燃焼炉の外部へ供給する煙道とを有し、
前記バーナとして、化石燃料の液体燃料を使用した請求項７または８に記載のバーナを用いていることを特徴とするバーナを備えた燃焼装置。
【請求項１０】
固体燃料と液体燃料を燃焼させるバーナを備えた燃焼装置であって、
燃料を燃焼させる燃焼炉と、前記燃焼炉に固体燃料を供給する固体燃料供給系統と、前記燃焼炉に液体燃料を供給する液体燃料供給系統と、前記燃焼炉に燃焼用気体を供給する燃焼用気体供給系統と、前記燃料供給系統と前記燃焼用気体供給系統が接続し前記燃焼炉の炉壁に設けられた前記固体燃料や液体燃料を燃焼させる複数のバーナと、前記燃焼炉で発生した燃焼排ガスから熱回収する熱交換器と、前記熱回収された燃焼排ガスを前記燃焼炉の外部へ供給する煙道とを備えており、
前記バーナとして、請求項７または８に記載のバーナを用いていることを特徴とするバーナを備えた燃焼装置。
【発明の詳細な説明】
【技術分野】
【０００１】
本発明は、噴霧流体（液体）を噴霧用媒体（気体）を利用して微粒化する二流体噴霧ノズルに係り、特に、液体燃料の噴霧流体を噴霧用媒体を利用して微粒化させる噴霧ノズルと、噴霧ノズルを備えたバーナ、及びバーナを備えた燃焼装置に関する。
【背景技術】
【０００２】
発電用のボイラのように高出力、高負荷の燃焼装置では、燃料を燃焼装置に設けた火炉空間（以下、火炉と記す）に水平方向に噴霧して燃焼させる浮遊燃焼方式が多く採用される。【０００３】
液体燃料を燃焼させる場合、噴霧ノズルによって燃料を噴霧用媒体で微粒化して火炉内に浮遊させて燃焼させる。【０００４】
この噴霧ノズルは液体燃料を主燃料とする燃焼装置で使用される他、微粉炭の固体燃料を主燃料として使用する燃焼装置においても、燃焼装置の起動や助燃用の液体燃料を燃焼させるために設置されることが多い。【０００５】
液体燃料の燃焼では、主に下記の３項目が求められる。【０００６】
（１）高い燃焼効率
（２）ばいじん、一酸化炭素や窒素酸化物に代表される燃焼排出物の低減
（３）燃焼装置の大型化に伴う噴霧ノズルの大容量化
前記（１）、（２）の要求に対しては、燃焼用空気量の調整と液体燃料の噴霧の微粒化が望ましい。【０００７】
燃焼用空気量の調整に関しては、燃焼効率を高めるために空気量を減らし、燃焼後の排ガスと共に排出される顕熱を減らすことが望ましい。【０００８】
しかし、空気量が減ると不完全燃焼して、ばいじんや一酸化炭素が発生し易くなる。このため、空気量は液体燃料の燃焼に必要な理論空気量に対し５％以上の余剰空気量を与えることが一般的であり、そのことが、燃焼工学ハンドブック、日本機械学会、１６７−１６９頁、２７２頁（非特許文献１）に記載されている。【０００９】
液体燃料の噴霧の微粒化に関しては、液体燃料の微粒化により燃焼反応が早まり、燃焼用空気量が少ない場合でも、ばいじんや一酸化炭素が発生し難くなる。また、燃焼反応が早まることで、高温で高い酸素濃度の雰囲気が形成し難くなり、窒素酸化物も発生し難くなる。【００１０】
このため、燃焼装置のバーナに用いられる噴霧ノズルでは、液体燃料の微粒化と燃焼装置の大容量化の両立が必要となる。【００１１】
一般的に、大容量のボイラや加熱炉のような燃焼装置では、バーナの噴霧ノズルとして液体燃料を微細化するために空気や蒸気などの噴霧用媒体と混合して噴霧する内部混合式の二流体噴霧ノズル（以下、従来噴霧ノズルと記す）が用いられることが非特許文献１に記載されている。【００１２】
前記従来噴霧ノズルでは、液体燃料を微粒化させるために用いる噴霧用媒体の使用量や、噴霧の際の噴霧流体や噴霧用媒体の加圧量の低減が課題である。【００１３】
例えば、噴霧流体である液体燃料を微細化させる噴霧用媒体として蒸気を用いる場合、燃焼装置内に投入された噴霧用媒体の蒸気は燃焼装置で発生する燃焼排ガス中の水分となる。この水分により排ガス量が増加すると、燃焼装置の燃焼効率が低下する。このため、液体燃料の微粒化を妨げない範囲で噴霧用媒体として用いる蒸気の使用量を低減することが望ましい。【００１４】
また、噴霧流体となる液体燃料を微細化する噴霧用媒体を噴霧する際に、噴霧流体や噴霧用媒体を加圧するが、その加圧量を減らすと加圧に使用するエネルギー消費量を低減できる。【００１５】
そこで上記した課題を解決するため、噴霧流体を微細化させる噴霧用媒体の混合方法等が検討されてきた。このうち、噴霧流体と噴霧用媒体を混合させた混合流体を噴霧ノズルの出口孔近傍で対向させて供給し、これらの対向した混合流体を衝突させることで噴霧流体の微粒化を促進させる技術の一例が、例えば特開平９−２３９２９９号公報（特許文献１）に開示されている。【００１６】
なお、前記技術は噴霧ノズルの出口孔から扇状に噴霧されるため、ファンスプレー式噴霧ノズルとも呼ばれる。【００１７】
特開平９−２３９２９９号公報に開示されたファンスプレー式噴霧ノズルの技術では、噴霧用媒体を噴霧ノズルの出口孔の上流側の流路にて液体燃料等の噴霧流体と混合させ、この混合流体を噴霧ノズルの出口孔近傍で衝突させるように構成している。【００１８】
そして、液体燃料は噴霧用媒体との混合と、出口孔近傍での混合流体の衝突により微粒化される。この２段階の微粒化により、噴霧用媒体の使用量を減らしても、噴霧した液体燃料の粒子径の粗大化を防止することが開示されている。
【先行技術文献】
【特許文献】
【００１９】
【特許文献１】特開平９−２３９２９９号公報
【非特許文献】
【００２０】
【非特許文献１】燃焼工学ハンドブック  日本機械学会  １６７−１６９頁、２７２頁
【発明の概要】
【発明が解決しようとする課題】
【００２１】
前記特開平９−２３９２９９号公報に開示されたファンスプレー式噴霧ノズルは、噴霧ノズルの内部に噴霧流体（液体）の流路と、その外周位置に噴霧用媒体（気体）の流路を設けている。【００２２】
噴霧流体と噴霧用媒体の流路はそれぞれ噴霧ノズル先端の出口孔を囲む隔壁により流れ方向が変わり、両方の流路が交差して混合し、この混合流体の流路が出口孔近傍で対向して設けられる構成となっている。【００２３】
前記したファンスプレー式噴霧ノズルでは、対向して流れる混合流体が出口孔近傍で衝突することにより噴霧流体が微粒化されるが、このとき、衝突により噴霧ノズルの出口孔から噴出する混合流体は、衝突前の流れ方向と直交する平面に沿って拡がる扇型の噴霧となる。【００２４】
噴霧ノズルの出口孔から噴出される噴霧流体の扇型の噴霧は一般に噴霧の中央部は流量が多く、噴霧の外縁部は流量が少ない。さらに、発明者の測定によると、ファンスプレー式噴霧ノズルから噴出される噴霧流体の噴霧の粒子径は、扇型の噴霧の中央部で比較的に大きく、扇型の噴霧の外縁部で小さくなる。【００２５】
噴霧された噴霧流体の扇型の噴霧の中央部は噴霧の外縁部に比べて流量が多いために燃焼用空気との混合が進み難い。さらに、噴霧の中央部は噴霧の粒子径が大きいために燃焼反応が遅く、燃焼排出物が生成し易くなるという課題がある。【００２６】
この場合、噴霧流体の微粒化を促進するには噴霧用媒体の使用量を増加、または加圧力を高める必要が生じるが、噴霧用媒体の使用量を増加、または加圧力を高めた場合には、噴霧用媒体の供給や加圧力に使用なエネルギー消費量が増大して燃焼装置の燃焼効率が低下するという課題がある。【００２７】
本発明の目的は、噴霧流体の粒子径が比較的大きくなる噴霧の中央部の微粒化を促進して噴霧流体全体の微粒化の促進と、噴霧流体の微細化に用いる噴霧用媒体の使用量の低減または加圧力の低減とを両立させて燃焼効率を向上させた噴霧ノズル、噴霧ノズルを備えたバーナ、及びバーナを備えた燃焼装置を提示することにある。
【課題を解決するための手段】
【００２８】
本発明の噴霧ノズルは、噴霧流体を噴霧用媒体と混合して微粒化した混合流体を噴霧する噴霧ノズルであって、前記噴霧ノズルは噴霧ノズルの外面を形成する隔壁と、この隔壁の内部に収容される構造物とから構成されており、前記噴霧ノズルの入口側となる前記構造物の外面に複数の溝部を設けて前記隔壁の内壁とこれらの溝部とで噴霧流体を供給する複数の噴霧流体流路を形成し、前記噴霧ノズルの入口側となる前記構造物の内部に噴霧用媒体を供給する複数の噴霧用媒体流路を形成し、噴霧流体を供給する前記複数の噴霧流体流路には、その噴霧流体流路の途中に、前記噴霧用媒体流路が連通して前記噴霧流体と該噴霧用媒体体流路から供給された噴霧用媒体とが合流して混合流体となる第１の合流部を形成し、前記第１の合流部の下流側となる前記複数の噴霧流体流路には、この噴霧流体流路を流下した混合流体が互いに対向して流れるように該噴霧流体流路と連通した混合流体流路を対向して配設し、前記混合流体流路には、噴霧ノズルの先端部の近傍に、対向して配設した前記混合流体流路を流下した混合流体が互いに衝突する第２の合流部を形成し、前記混合流体流路に形成した第２の合流部に面した噴霧ノズルの先端部の前記隔壁に、混合流体を噴霧ノズルから外部に噴霧する出口孔を設け、前記混合流体流路の前記出口孔の噴出側と対向側となる流路壁面に、前記混合流体流路内に突出した部分を設け、前記混合流体流路を形成する溝の深さが、第２の合流部の上流側となる部分での混合流体流路の流路を形成する溝の深さよりも短くなるように形成していることを特徴とする。
【００２９】
また本発明の噴霧ノズルは、噴霧流体を噴霧用媒体と混合して微粒化させる噴霧ノズルであって、前記噴霧ノズルは噴霧ノズルの外面を形成する隔壁と、この隔壁の内部に収容される構造物とから構成されており、前記噴霧ノズルの入口側となる前記構造物の外面に複数の溝部を設けて前記隔壁の内壁とこれらの溝部とで噴霧流体を供給する複数の噴霧流体流路を形成し、前記噴霧ノズルの入口側となる前記構造物の内部に噴霧用媒体を供給する複数の噴霧用媒体流路を形成し、噴霧流体を供給する前記複数の噴霧流体流路には、その噴霧流体流路の途中に、前記噴霧用媒体流路が連通して前記噴霧流体と該噴霧用媒体流路から供給された噴霧用媒体とが合流して混合流体となる第１の合流部を形成し、前記第１の合流部の下流側となる前記複数の噴霧流体流路には、この噴霧流体流路を流下した混合流体が互いに対向して流れるように該噴霧流体流路と連通した混合流体流路を対向して配設し、前記混合流体流路には、噴霧ノズルの先端部の近傍に、対向して配設した前記混合流体流路を流下した混合流体が互いに衝突する第２の合流部を形成し、前記混合流体流路に形成した第２の合流部に面した噴霧ノズルの先端部の前記隔壁に、混合流体を噴霧ノズルから外部に噴霧する出口孔を設け、前記混合流体流路の前記出口孔の噴出側と対向側となる流路壁面に、混合流体の流れ方向と垂直な断面において該混合流体流路の流路幅方向の中央部に凸状部を設け、前記混合流体流路を形成する溝の深さは、流路幅方向の中央部での溝の深さが、流路幅方向の端部での溝の深さに比べて短くなるように形成していることを特徴とする。
【００３０】
本発明の噴霧ノズルを有するバーナは、液体燃料を燃料として利用する噴霧ノズルを備えたバーナであって、噴霧ノズルとして上記した本発明の噴霧ノズルを用い、前記液体燃料を前記噴霧流体として前記噴霧ノズルに供給し、蒸気または圧縮空気を前記噴霧用媒体として前記噴霧ノズルに供給することを特徴とする。【００３１】
また本発明の噴霧ノズルを有するバーナは、固体燃料とその搬送気体を噴出する燃料ノズルと、液体燃料を噴霧する噴霧ノズルと、前記固体燃料及び液体燃料を燃焼させる燃焼用気体を噴出する燃焼用気体ノズルを備えたバーナであって、前記噴霧ノズルとして、上記した本発明の噴霧ノズルを用い、前記液体燃料を前記噴霧流体として前記噴霧ノズルに供給し、蒸気または圧縮空気を前記噴霧用媒体として前記噴霧ノズルに供給することを特徴とする。【００３２】
本発明のバーナを有する燃焼装置は、化石燃料を燃焼させるバーナを備えた燃焼装置であって、化石燃料を燃焼させる燃焼炉と、前記燃焼炉に化石燃料を供給する燃料供給系統と、前記燃焼炉に燃焼用気体を供給する燃焼用気体供給系統と、前記燃料供給系統と前記燃焼用気体供給系統が接続し前記燃焼炉の炉壁に設けられた化石燃料を燃焼させるバーナと、前記燃焼炉で発生した燃焼排ガスから熱回収する熱交換器と、前記熱回収された燃焼排ガスを前記燃焼炉の外部へ供給する煙道とを有し、前記バーナとして、化石燃料の液体燃料を使用した上記した本発明のバーナを用いていることを特徴とする。【００３３】
また本発明のバーナを有する燃焼装置は、固体燃料と液体燃料を燃焼させるバーナを備えた燃焼装置であって、燃料を燃焼させる燃焼炉と、前記燃焼炉に固体燃料を供給する固体燃料供給系統と、前記燃焼炉に液体燃料を供給する液体燃料供給系統と、前記燃焼炉に燃焼用気体を供給する燃焼用気体供給系統と、前記燃料供給系統と前記燃焼用気体供給系統が接続し前記燃焼炉の炉壁に設けられた前記固体燃料や液体燃料を燃焼させる複数のバーナと、前記燃焼炉で発生した燃焼排ガスから熱回収する熱交換器と、前記熱回収された燃焼排ガスを前記燃焼炉の外部へ供給する煙道とを備えており、前記バーナとして、上記した本発明のバーナを用いていることを特徴とする。
【発明の効果】
【００３４】
本発明によれば、噴霧流体の粒子径が比較的大きくなる噴霧の中央部の微粒化を促進して噴霧流体全体の微粒化の促進と、噴霧流体の微細化に用いる噴霧用媒体の使用量の低減または加圧力の低減とを両立させて燃焼効率を向上させた噴霧ノズル、噴霧ノズルを備えたバーナ及びバーナを備えた燃焼装置が実現できる。
【図面の簡単な説明】
【００３５】
【図１】本発明の第１実施例である噴霧ノズルの構造を示す噴霧ノズル先端部の断面図であって図３のＡ−Ａ方向の断面図。
【図２】図１に示した本発明の第１実施例に係る噴霧ノズル先端部を別の方向から見た噴霧ノズル先端部の断面図であって図３のＢ−Ｂ方向の断面図。
【図３】図１に示した本発明の第１実施例に係る噴霧ノズル先端部を出口孔から見た平面図。
【図４】本発明の実施例に係る噴霧ノズルの微粒化性能の一例を示す説明図。
【図５】本発明の第２実施例である噴霧ノズルの構造を示す噴霧ノズル先端部の断面図であって図７のＡ−Ａ方向の断面図。
【図６】図５に示した本発明の第２実施例に係る噴霧ノズル先端部を示す噴霧ノズル先端部の断面図であって図７のＢ−Ｂ方向の断面図。
【図７】図５に示した本発明の第２実施例に係る噴霧ノズル先端部を出口孔から見た平面図。
【図８】図１に示した第１実施例の噴霧ノズル、または図５に示した第２実施例の噴霧ノズルを備えた本発明の第３の実施例であるバーナの構造を示す概略構成図。
【図９】図８に示した第３実施例のバーナを備えた本発明の第４の実施例である燃焼装置の構造を示す概略構成図。
【発明を実施するための形態】
【００３６】
本発明の実施例である噴霧ノズル、噴霧ノズルを備えたバーナ、及びバーナを備えた燃焼装置について図面を参照して説明する。
【実施例１】
【００３７】
本発明の第１実施例である噴霧ノズルの構造について、図１〜図４を用いて説明する。本実施例の噴霧ノズル１は、液体燃料である噴霧流体２と、この噴霧流体２を微細化するために使用する噴霧用媒体３とを噴霧流体流路４の第１の合流部９１で合流させ混合し、この第１の合流部９１から噴霧ノズル１の出口孔１１の間の混合流体流路９、１０で噴霧流体２と噴霧用媒体３とを混合させた混合流体８を噴霧ノズル１の外部に噴霧させる出口孔１１の近傍で、混合流体流路９、１０の流路断面積が狭まるように構成し、混合流体８を出口孔１１近傍で衝突させて、前記出口孔１１から噴霧ノズル１の外部に噴霧させるように構成している。【００３８】
図１〜図３は本実施例の噴霧ノズル１の先端部を示しており、図１は上流側が噴霧流体２（液体燃料）の供給系統（図示せず）と前記噴霧流体２を微細化するために使用する噴霧用媒体３（蒸気または圧縮空気など）の供給系統（図示せず）に接続する噴霧ノズル１の先端部の断面図であって図３のＡ−Ａ方向の断面図を示し、図２は図１に示した本実施例の噴霧ノズル先端部を別の方向から見た噴霧ノズル１の先端部の断面図であって図３のＢ−Ｂ方向の断面図を示し、図３は図１に示した本実施例の噴霧ノズル先端部を出口孔から見た平面図をそれぞれ示している。尚、Ｘ方向は噴霧ノズル１から噴霧する噴出方向を示している。【００３９】
図１に示すように、本実施例の噴霧ノズル１の先端部は、噴霧ノズル１の先端部の外面を形成する円筒状の隔壁１５と、前記円筒状の隔壁１５の内部に収容される円柱状の構造物１６を備えている。【００４０】
更に前記構造物１６の外周側に液体燃料である噴霧流体２を供給する複数の噴霧流体流路４、５となる溝を設け、円筒状の隔壁１５の内周壁と構造物１６に設けた溝との間で該噴霧流体流路４、５を形成し、これらの噴霧流体流路４、５を例えば周方向の対称な位置に偶数個（２個又は４個）配設されている。【００４１】
また前記構造物１６の内部には、該噴霧流体流路４、５を通じて流下する噴霧流体２を微細化するために使用する噴霧用媒体３を供給する複数の噴霧流体流路６、７が前記噴霧流体流路４、５と独立して配設されている。【００４２】
これらの噴霧流体流路６、７を通じて供給された噴霧用媒体３は、前記噴霧流体流路６、７が構造物１６の外面に設けた前記噴霧流体流路４、５とそれぞれ連通することで、該噴霧流体流路４、５を流れる噴霧流体２と噴霧流体流路６、７を流れる噴霧用媒体３とが前記噴霧流体流路４、５内の第１の合流部９１で合流して混合し、混合流体８となって該噴霧流体流路４、５の下流側に向けて流下する。【００４３】
前記噴霧流体流路４、５はその下流側で、隔壁１５の内周側となる前記構造物１６の外面にそれぞれ対抗して配置された混合流体流路９、１０とそれぞれ連通している。【００４４】
この噴霧流体２と噴霧用媒体３との混合流体８は、前記噴霧流体流路４、５及び混合流体流路９、１０を通じて更に流下するが、対向配置された前記混合流体流路９を流れる混合流体８と対向配置された前記混合流体流路１０を流れる混合流体８とがお互いに対抗して流れて第２の合流部９２で衝突するように形成されている。【００４５】
そして、互いに対向配置された混合流体流路９、１０を通って流下した混合流体８は、噴霧ノズル１の先端部に形成され、混合流体流路９、１０と連通した出口孔１１の近傍となる第２の合流部９２にて相互に衝突し、第２の合流部９２に面した噴霧ノズル１の先端部となる隔壁１５に形成された前記出口孔１１から混合流体８を外部に扇型の噴霧を形成させて噴霧する。【００４６】
この場合、前記混合流体流路９、１０は前記噴霧流体流路４、５と連通する混合流体流路９、１０の上流側で屈曲部１３、１４をそれぞれ形成して混合流体８の流れ方向を９０度変えることで、前記混合流体流路９、１０の流路内での噴霧流体２と噴霧用媒体３との混合による混合流体８の微粒化を促進させている。【００４７】
本実施例の噴霧ノズル１では、混合流体８を外部に噴霧する出口孔１１の噴出側と対向側となる第２の合流部９２に面した構造物１６の壁面に混合流体流路９、１０内に障害物となる混合流体流路９、１０内に突出した凸状部１６ａを構造物１６と一体となるように設けて、第２の合流部９２に面した前記混合流体流路９、１０に、この第２の合流部９２に面した前記混合流体流路９、１０の流路断面積が、第２の合流部９２の上流側となる前記混合流体流路９、１０の流路断面積よりも狭くなる縮流部１７を形成している。【００４８】
前記縮流部１７は、前記混合流体流路９、１０の第２の合流部９２に面した該混合流体流路９、１０に、該混合流体流路の流路断面積が混合流体の流れ方向と垂直な断面において該該混合流体流路９、１０の流路幅方向の中央部で流路幅方向の端部に比べて狭くなる縮流部１７を形成していると規定することもできる。【００４９】
前記第２の合流部９２に面した前記混合流体流路９、１０の流路断面積が狭くなる縮流部１７を形成する手段として、この第２の合流部９２に面した隔壁１５に設けた前記出口孔１１とは反対側となる構造物１６の壁面に、混合流体流路９、１０内を流れる混合流体８の障害物となる混合流体流路９、１０内に突出した凸状部１６ａを設けている。【００５０】
縮流部１７を形成する前記混合流体流路９、１０内に突出した突出部である凸状部１６ａは、第２の合流部９２に面した前記構造物１６の壁面に着脱自在に設置されて交換可能に構成されている。【００５１】
そして、対向配置された混合流体流路９、１０を流下した混合流体８は出口孔１１の近傍の第２の合流部９２にて相互に衝突して噴霧ノズル１の先端部に形成した出口孔１１から外部に噴霧されることで、微粒化した混合流体８は混合流体流路９、１０の流れ方向（混合流体流路９、１０が配設された方向）に対して直角方向（図３のＢ−Ｂ線の方向）となる図２に示す扇型の噴霧を形成して外部に噴出される。【００５２】
混合流体８を外部に噴霧する噴霧ノズル１の出口孔１１を形成した噴霧ノズル１の先端部の隔壁１５には、扇型噴霧の形成方向と同じ方向に溝部１２が形成されており、
対向して配置された前記混合流体流路９、１０を通じて前記第２の合流部９２に流下する混合流体８の流れ方向と直交する方向に前記溝部１２を設けて、この溝部１２と混合流体流路９、１０との交差部が混合流体８を外部に噴霧する出口孔１１となるように構成している。【００５３】
なお、図１に示す本実施例の噴霧ノズル１では、噴霧ノズル１の先端部は外側の隔壁１５と、この隔壁１５の内側の構造物１６とが組み合わされた構造となっている。【００５４】
噴霧ノズル１を構成する外側の隔壁１５と、前記流体流路及び噴霧用媒体流路を備えた内側の構造物１６を組み合わせ構造にすることで、流体流路等の加工が容易となる利点がある。【００５５】
本実施例の噴霧ノズル１では、噴霧ノズル１の先端部に形成された出口孔１１から噴出する混合流体８は主に以下の３つの作用によって噴霧流体の微粒化を促進させている。【００５６】
（１）噴霧流体と噴霧用媒体の流路が合流し、両者の混合による混合流体の微粒化。【００５７】
（２）合流後の混合流体流路が屈曲することによる流路内での噴霧流体と噴霧用媒体の混合による混合流体の微粒化
（３）対向して流れる混合流体が出口孔近傍で衝突することによる混合流体の微粒化。【００５８】
このうち、前記（３）の衝突により、出口孔１１から噴出する混合流体８は、図３のＡ−Ａ線で示す衝突前の流れ方向と直交した図３のＢ−Ｂで示す線に沿って拡がる、丁度、図２に示した扇型の噴霧となる。【００５９】
本実施例の噴霧ノズル１の出口孔１１から噴出する混合流体８が図２に示した扇型の噴霧を形成することから、上述のような噴霧ノズルを一般にファンスプレー式噴霧ノズルと呼ぶ。【００６０】
ファンスプレー式噴霧ノズルで生成する噴霧は、一般に扇型の噴霧中央部１８は流量が多く、扇型の噴霧中央部１８の周囲部分となる扇型の噴霧外縁部１９は流量が少ない。【００６１】
さらに、発明者の測定によると、扇型の噴霧中央部１８で噴霧の粒子径は比較的に大きく、扇型の噴霧外縁部１９で小さくなる。【００６２】
そして、扇型の噴霧外縁部１９では噴霧が拡がり易く、薄い液膜が形成されるので、微粒子（直径１００μｍ未満）が多くなる。また、運動量が低いため微粒子は噴霧ノズル１の近傍に留まりやすくなる。【００６３】
直径で１００μｍ未満、出来れば５０μｍ以下に微粒化させた粒子（以下、微粒子と記す）は体積に占める表面積が大きく、燃焼装置である炉内からの熱放射により昇温して燃焼し易い。【００６４】
このため、これらの微粒子を噴霧ノズル１の近傍に滞留させることで、噴霧の着火が早まり、火炎の安定化や燃焼反応の促進に寄与する。【００６５】
なお、微粒化の程度は、混合流体８の圧力や噴霧用媒体量（噴霧流体２に対する噴霧用媒体３の割合）により調整することができる。【００６６】
一方、扇型の噴霧中央部１８は扇型の噴霧外縁部１９に対して流量が多く、噴霧が拡がり難いため外縁部に比べて厚い液膜が形成される。このため、大粒子（直径１００〜３００μｍ）が多い。【００６７】
大粒子は微粒子に比べて運動量が高く、離れた位置を流れる燃焼用空気と混合し易いものの、微粒子に比べて燃焼反応は遅れる。【００６８】
燃焼反応を促進するには、扇型の噴霧中央部１８の流量を減らして噴霧の粒子径を小さくすることが望ましい。このため、混合流体８の衝突速度を高めて上記（３）の作用を高めることが望ましい。【００６９】
ところで、衝突速度を高めるために混合流体流路９、１０の流路断面積を一様に狭めると、混合流体８の流速は上昇するものの、圧力損失が高くなり、噴霧流体２や噴霧用媒体３の加圧に必要なエネルギーが増加するという課題がある。【００７０】
そこで本実施例の噴霧ノズル１においては、噴霧ノズル１を構成する外側の隔壁１５の内壁と、該隔壁１５の内側に設置した構造物１６の外面に設置の前記流路構成において、図１〜図３に示したように、混合流体８を相互に衝突させるように出口孔１１の近傍にて対向して配設した混合流体流路９、１０の流路断面のうち、第２の合流部９２に面した混合流体流路９、１０の流路幅方向の中央部に、出口孔１１の噴出側と対向側となる構造物１６の壁面に該混合流体流路９、１０内に突出した凸状部１６ａを構造物１６と一体となるように設けて前記混合流体流路９、１０の流路断面積が狭まる縮流部１７を形成するようにしている。【００７１】
すなわち、本実施例の噴霧ノズル１においては、以下の（Ａ）、（Ｂ）で示す２つの構成を付与することで、上記した課題の解決を図っている。【００７２】
（Ａ）出口孔１１の近傍のみ混合流体流路９、１０の流路断面積を狭める。【００７３】
（Ｂ）混合流体流路９、１０の流路断面積は流路幅方向の中央部を特に狭める。【００７４】
本実施例の噴霧ノズル１においては、前記（Ａ）の構成を採用することにより、混合流体８の流速は噴霧ノズル１の出口孔１１の近傍では高いが、高流速部分は混合流体流路９、１０の流路断面積を一様に狭める場合に比べて少ない。このため、圧力損失の増加を抑制できる。【００７５】
また、流速が変化して上昇することで、前記混合流体流路９、１０に形成した流路断面積の縮流部１７にて混合流体８の静圧は低下する。このとき、混合流体８中の噴霧用媒体３は気体であり、静圧の低下に伴い体積が増加する。体積が増加する際、噴霧流体２（液体）を分断し微粒化するので、混合流体８の微粒化が進む。【００７６】
なお、図１に示すように、出口孔１１の噴出側と対向側の構造物１６の壁面に混合流体流路９、１０内に突出した凸状部１６ａを構造物１６と一体となるように設けて前記混合流体流路９、１０に形成した流路断面積を狭める縮流部１７は、滑らかにその流路断面積が変わるように、前記凸状部１６ａの形状を、例えば曲線形状とすることが望ましい。【００７７】
前記凸状部１６ａの形状を曲線形状にして前記混合流体流路９、１０に形成した縮流部１７が滑らかに流路断面積を変えるように形成することで、混合流体流路９、１０の流路断面積を段階状に変化させる場合に比べて圧力損失の増加を低減できる。【００７８】
また、混合流体流路９、１０の断面積が狭まった部分での静圧を低下することで、混合流体８の微粒化が促進される。【００７９】
本実施例の噴霧ノズル１においては、前記（Ｂ）の構成を採用することにより、噴霧ノズル１の出口孔１１の近傍で混合流体流路９、１０の流路幅方向の中央部を流れる混合流体８の流量が低下し、混合流体流路９、１０の流路幅方向の端部を流れる混合流体８の流量が増加する。【００８０】
混合流体８は出口孔１１近傍の混合流体流路９、１０の第２の合流部９２にて相互に衝突した後に、出口孔１１から混合流体流路９、１０の配設方向と直角方向（図３のＢ−Ｂ線の方向）に図２に示す扇型の噴霧を形成して噴霧ノズル１の外部に噴出される。【００８１】
この際、混合流体流路９、１０の流路幅方向の端部を流れる混合流体８は、流路幅方向の中央部を流れる混合流体８により流れ方向の制約を受けるので、直角方向（図３のＢ−Ｂ線の方向）に曲げられて図２に示す扇型の噴霧外縁部１９を流れ易くなる。【００８２】
よって本実施例の噴霧ノズル１では、出口孔１１近傍では混合流体流路９、１０の流路幅方向の端部を流れる混合流体８が増えることで、噴霧ノズル１の出口孔１１から噴出する混合流体８は扇型の噴霧外縁部１９を流れる流量が増加し、扇型の噴霧中央部１８を流れる流量が低下する。【００８３】
このため、扇型の噴霧中央部１８では液膜は薄くなり、この液膜が表面張力等により分離して形成する噴霧の粒子径も小さくなる。この結果、扇型の噴霧中央部１８の微粒化性能が向上する。【００８４】
図４に本発明の第１の実施例に係る噴霧ノズルの微粒化性能の一例である説明図を示す。図中の縦軸は噴霧の平均粒子径を表し、横軸は噴霧の角度を示す。噴霧の平均粒子径は出口孔11から噴出する扇型噴霧について、噴霧の下流３００ｍｍの位置で扇型噴霧の中心軸を通る長辺方向（図３のＢ−Ｂ線の方向）について噴霧の粒子径を光学計測により計測し、体面積平均粒子径で示したものである。ここでは，比較例の噴霧ノズルでの体面積平均粒子径を基準として、本実施例の噴霧ノズルでの粒子径の分布を相対値で提示する。【００８５】
図４に示したように、比較例の噴霧ノズルでは噴霧の中央部は噴霧の外周部に比べて平均粒子径が大きい。【００８６】
一方、本実施例の噴霧ノズルの場合では、噴霧の中央部の平均粒子径が比較例の噴霧ノズルによるものに比べて小さくできる。【００８７】
一方、本実施例の噴霧ノズルの場合では、噴霧の外縁部では粒子径が若干大きくなる。しかしながら、比較例の噴霧ノズルでは平均粒子径が大きくなる噴霧の中央部は、本実施例の噴霧ノズルの場合では、粒子径を低下させることができるので、混合流体８の全体的な微粒化性能は向上する。【００８８】
図１〜図３に示した本実施例の噴霧ノズル１では、混合流体流路９、１０の流路断面積は流路断面が狭まる縮流部１７を形成するために出口孔１１の噴出側と対向側となる構造物１６の先端の壁面に、混合流体流路９、１０内側に障害物となる突出した凸状部１６ａを設けているが、この凸状部１６ａの設置に代えて前記混合流体流路９、１０の流路を形成する溝の深さを変更して流路断面が狭まる縮流部１７を形成することも可能である。【００８９】
尚、障害物となる前記凸状部１６ａを構造物１６の先端の壁面に設置する場合は、ネジやピンなどの締結物により取り付けることが望ましい。【００９０】
そして高流速部分で混合流体流路９、１０内の前記凸状部１６ａに摩耗が生じた場合、対象となる凸状部１６ａの部分のみを交換すれば良い。【００９１】
なお、障害物となる凸状部１６ａを耐摩耗材で形成すれば、耐用時間が増加する他、混合流体流路９、１０全体を耐摩耗材で形成する場合に比べて、耐摩耗材の適用部分が低減でき、コスト的に優位となる。【００９２】
耐摩耗材は一般的に耐摩耗性が他の材料に比べて高いものの、耐熱性や熱変形に対する耐力が低いことが多い。そこで前記凸状部１６ａを耐摩耗材で形成するようにすれば、耐摩耗材の適用部分を減らすことができ、熱変形での変位量が小さいことにより耐熱性や熱変形に対する耐力が向上する。このため、噴霧ノズル１の混合流体流路９、１０の全体を耐摩耗材とする場合に比べて、耐用時間が増加する。【００９３】
また、本実施例の噴霧ノズル１では、出口孔１１が単一の場合を示したが、出口孔１１を複数設けた場合にも本実施例の噴霧ノズル１に、混合流体８を流下させる混合流体流路９、１０の流路断面積が第２の合流部９２に面した出口孔１１の近傍で、前記混合流体流路９、１０の流路幅方向の中央部の流路断面積が狭まる縮流部１７を形成する、即ち、図３に破線で示したように、混合流体流路９、１０の幅方向の中央部の流路断面積が混合流体流路９、１０の流路幅方向の端部の流路断面積よりも流路断面積が狭まる縮流部１７を形成することによって、噴霧する混合流体８を微粒化する微粒化効果を得ている。【００９４】
また、噴霧ノズル１の出口孔１１の数を増やす、いわゆる多孔化により、ひとつの出口孔１１から噴霧する混合流体８の噴出量を多くせずに、噴霧ノズル１から噴霧する混合流体８の噴出量を増加させることができる。すなわち、出口孔１１の多孔化により微粒化性能を維持しながら噴霧ノズル１の大容量化が可能となる。【００９５】
上記した本実施例の噴霧ノズル１によれば、前記噴霧流体２と噴霧用媒体３が混合した混合流体８を流下させる混合流体流路９、１０の流路断面積が第２の合流部９２に面した出口孔１１の近傍の前記混合流体流路９、１０で狭まるように縮流部１７を形成することで、混合流体８の流速は出口孔１１の近傍で加速される。【００９６】
そして加速された混合流体８の流れが出口孔１１の近傍で対向した流れとして混合流体流路９、１０に形成した第２の合流部９２で衝突し、出口孔１１から噴霧ノズル１の外部に噴出して噴霧されることで、対向した混合流体８の流れの衝突により出口孔１１から噴出する混合流体８の噴霧は、扇型の液膜の厚さが薄くなり、その薄い液膜から形成される噴霧の粒子径は小さくなる。【００９７】
出口孔１１の近傍の縮流部１７でのみ混合流体流路９、１０の流路断面積が狭まることで、混合流体８の衝突に必要な流速を確保しながら、混合流体流路９、１０を流れる混合流体８の圧力損失を低減することができる。【００９８】
また、混合流体流路９、１０を流下する混合流体８の流速が第２の合流部９２に面した出口孔１１の近傍で上昇することで、混合流体８を形成する噴霧流体２と噴霧用媒体３の混合が促進され、混合促進による混合流体８の微粒化が促進される。【００９９】
さらに、第２の合流部９２に面した出口孔１１の近傍の縮流部１７で前記混合流体流路９，１０の流路断面積が狭まる際に、混合流体流路９，１０の流路幅方向の中央部のみの流路断面積が、その周囲部分となる流路幅方向の端部の流路断面積と比べて狭まるように形成することで、前記混合流体８は混合流体流路９，１０の流路幅方向の中央部を流れる流量が減り、混合流体流路９，１０の流路幅方向の端部を流れる流量が増加する。【０１００】
この結果、出口孔１１の近傍の混合流体流路９、１０の第２の合流部９２で混合流体８が衝突して出口孔１１から噴霧ノズル１の外部に噴霧された混合流体８の噴霧である扇型噴霧の液膜の厚さは、図２に示す扇型噴霧の噴霧中央部１８で薄くなり、噴霧の粒子径が小さくなる。【０１０１】
また、扇型噴霧の流量は、扇型噴霧の噴霧中央部１８での流量が減る。一方、扇型噴霧の噴霧中央部１８の周囲部分となる扇型噴霧の噴霧外縁部１９では流量が増加するが、扇型噴霧の噴霧中央部１８の流量と比べて扇型噴霧の噴霧外縁部１９の流量は同等以下であり、扇型噴霧の噴霧外縁部１９では扇型噴霧の噴霧中央部１８よりも周囲気体との混合が進み易い。このため、噴霧の粒子径はほとんど変わらない。【０１０２】
本実施例の噴霧ノズル１では、流量に関しては扇型噴霧の噴霧中央部１８で減り、噴霧外縁部１９で増加する。粒子径に関しては扇型噴霧の噴霧中央部１８で小さくなり、噴霧外縁部１９はほとんど変わらない。このため、扇型噴霧の噴霧中央部１８と噴霧外縁部１９を合せた全体では噴霧の粒子径が小さくなる。【０１０３】
すなわち、本実施例の噴霧ノズルを用いることで、同じ噴霧用媒体の使用量で微粒化を促進できる。また、微粒化性能を得るのに必要な噴霧用媒体の使用量を抑制し、または噴霧流体や噴霧用媒体に加える圧力を低減できる。【０１０４】
さらに、本実施例の噴霧ノズルでは、扇型噴霧の噴霧中央部１８の流量が減ることで、噴霧がまんべんなく空間に拡がり、燃焼用空気との混合が進む。【０１０５】
微粒化と燃焼用空気との混合促進により、燃焼反応が進み、燃焼装置出口での未燃焼分やばいじん、一酸化炭素が低減し、燃焼効率を高くできる。また、燃焼反応を早く進めることで、酸素の消費が進み、窒素酸化物の発生を抑えることができる。さらに、未燃焼分やばいじん、一酸化炭素が低減することで、燃焼装置に投入する余剰な空気を削減できる。【０１０６】
余剰な空気が減ると、燃焼排ガス量も低下し、燃焼排ガスとともに燃焼装置外に放出される顕熱を低下させ、熱効率を高めることができる。【０１０７】
本実施例の噴霧ノズルを用いた燃焼装置では、噴霧用媒体の使用量の抑制や圧力の低減により、各々の供給や加圧力に使用なエネルギー消費量を低減できる。【０１０８】
また、噴霧用媒体として蒸気を用いる場合、燃焼装置内に投入された蒸気による燃焼装置での熱効率が低下するが、本実施例の噴霧ノズルを用いると、蒸気の使用量を減らしても微粒化を維持できるため、熱効率の低下を防ぐことができる。【０１０９】
本実施例によれば、噴霧流体の粒子径が比較的大きくなる噴霧の中央部の微粒化を促進して噴霧流体全体の微粒化の促進と、噴霧流体の微細化に用いる噴霧用媒体の使用量の低減または加圧力の低減とを両立させて燃焼効率を向上させた噴霧ノズルが実現できる。
【実施例２】
【０１１０】
本発明の第２実施例である噴霧ノズルの構造について、図５〜図７を用いて説明する。【０１１１】
図５〜図７に示した本実施例の噴霧ノズル６１は、図１〜図４に示した第１実施例の噴霧ノズル１と基本的な構成は共通しており、よって両実施例に共通した構成の説明は省略する。【０１１２】
図５〜図７に本実施例の噴霧ノズル６１の先端部を示しており、図５は上流側が噴霧流体２（液体燃料）の供給系統（図示せず）と前記噴霧流体２を微細化するために使用する噴霧用媒体３（蒸気または圧縮空気など）の供給系統（図示せず）に接続する噴霧ノズル１の先端部の断面図であって図７のＡ−Ａ方向の断面図を示し、図６は図７に示した本実施例の噴霧ノズル１の先端部を別の方向から見た噴霧ノズル１の先端部の断面図であって図７のＢ−Ｂ方向の断面図を示し、図７は図５に示した本実施例の噴霧ノズル１の先端部を出口孔から見た平面図をそれぞれ示している。尚、Ｘ方向は噴霧ノズル１から噴霧する噴出方向を示している。【０１１３】
図５〜図７に示した本実施例の噴霧ノズル６１は、先に図１〜図４に示した第１実施例の噴霧ノズル１と基本的に同じ構成のファンスプレー式の噴霧ノズルである。【０１１４】
本実施例の噴霧ノズル６１は前述の図１〜図４に示した第１実施例の噴霧ノズル１と共通した流路構成であり、対向して配設した混合流体流路９、１０の流路断面積が第２の合流部９２となる出口孔１１近傍にて狭まる縮流部１７を形成するように構成している。【０１１５】
本実施例の噴霧ノズル６１では、第２の合流部９２に面した出口孔１１の近傍のみ、前記混合流体流路９、１０の流路断面積を狭める縮流部１７を、図７に示したように、流路幅方向の中央部だけでなく流路幅方向の端部を含んだ流路幅方向全体に亘って形成することで、混合流体８の流速は出口孔１１の近傍で高くなる。【０１１６】
一方、高流速部分は混合流体流路９、１０の流路断面積を一様に狭める場合に比べて少ない。このため、圧力損失の増加を抑制できる。【０１１７】
また、混合流体流路９、１０を流下する混合流体８の流速が変化して上昇することで、混合流体８の静圧は縮流部１７の近傍で低下する。このとき、混合流体８中の噴霧用媒体３は気体であり静圧の低下に伴い体積が増加する。【０１１８】
体積が増加する際、噴霧流体２（液体）を分断して微粒化するので、混合流体８の微粒化が促進される。【０１１９】
なお、図７に示すように、混合流体流路９、１０の第２の合流部９２に面した出口孔１１の近傍で、出口孔１１の噴出側と対向側の構造物１６の壁面には、曲線形状の凸状部１６ｂが混合流体流路９、１０内に突出するように設けられて、前記混合流体流路９、１０の流路断面積を狭める縮流部１７を形成しているが、前記凸状部１６ｂは構造物１６とは別体として該構造物１６に取り付けられた構造となっており、前記凸状部１６ｂが交換可能となっている。【０１２０】
前記縮流部１７が滑らかに混合流体流路９、１０の流路断面積を変えるように前記凸状部１６ｂを曲率形状に形成することで、混合流体流路９、１０の流路断面積を段階状に変化させる場合に比べて圧力損失の増加を低減できる。【０１２１】
また、混合流体流路９、１０の断面積が狭まった部分での静圧を低下することで、混合流体８の微粒化が促進される。【０１２２】
図５〜図７に示す本実施例の噴霧ノズル６１では、混合流体８を外部に噴霧する出口孔１１の噴出側と対向側となる第２の合流部９２に面した構造物１６の壁面に混合流体流路９、１０内に突出した曲線形状の凸状部１６ｂを設けて前記混合流体流路９、１０の流路断面が狭まる縮流部１７を形成している。【０１２３】
このように噴出側となる出口孔１１とは反対側の構造物１６の壁面に曲線形状の凸状部１６ｂを設けると、出口孔１１の近傍で混合流体流路９、１０を流れる混合流体８は噴出方向（図５中のＸ方向）に向かう流れが誘起される。【０１２４】
このため、高速で衝突しながらも混合流体８の噴霧は噴出方向（Ｘ方向）への速度成分が高くなり、噴霧ノズル６１から噴霧される混合流体８の噴霧粒子の流速は早まり、高速でかつ粒子径の小さい粒子を噴霧することができる。【０１２５】
そして、本実施例の噴霧ノズル６１で対向配置された混合流体流路９、１０を流下した混合流体８は出口孔１１の近傍の第２の合流部９２にて相互に衝突して噴霧ノズル６１の先端部に形成した出口孔１１から外部に噴霧されることで、微粒化した混合流体８は混合流体流路９、１０の流れ方向（混合流体流路９、１０が配設された方向）に対して直角方向（図７のＢ−Ｂ線の方向）となる図８に示す扇型の噴霧を形成して外部に噴出される。【０１２６】
混合流体８を外部に噴霧する噴霧ノズル６１の出口孔１１となる噴霧ノズル６１の先端部の隔壁１５には、扇型噴霧の形成方向と同じ方向に溝部１２が形成されており、この溝部１２と混合流体流路９、１０との交差部が混合流体８を外部に噴霧する出口孔１１となる。【０１２７】
また、障害物となる凸状部１６ｂを構造物１６の先端の壁面に設置する場合は、ネジやピンなどの締結物により取り付けることが望ましい。【０１２８】
そして高流速部分で混合流体流路９、１０内の前記凸状部１６ｂに摩耗が生じた場合、対象となる凸状部１６ｂの部分のみを交換すれば良い。【０１２９】
なお、凸状部１６ｂの部分を耐摩耗材とすれば、耐用時間が増加する他、混合流体流路９、１０全体を耐摩耗材とする場合に比べて、耐摩耗材の適用部分が低減でき、コスト的に優位となる。【０１３０】
耐摩耗材は一般的に耐摩耗性が他の材料に比べて高いものの、耐熱性や熱変形に対する耐力が低いことが多い。そこで前記凸状部１６ｂを耐摩耗材で形成するようにすれば、耐摩耗材の適用部分を減らすことができ、熱変形での変位量が小さいことにより耐熱性や熱変形に対する耐力が向上する。このため、噴霧ノズル１の混合流体流路９、１０全体を耐摩耗材とする場合に比べて、耐用時間が増加する。【０１３１】
本実施例の噴霧ノズル６１では、混合流体流路９、１０の流路断面積は流路断面が狭まる縮流部１７を形成するために出口孔１１の噴出側と対向側となる構造物１６の先端の壁面に、混合流体流路９、１０内側に障害物となるように突出した曲面状の凸状部１６ｂを設けているが、この凸状部１６ｂの設置に代えて前記混合流体流路９、１０の流路を形成する溝の深さを変更して流路断面が狭まる縮流部１７を形成することも可能である。【０１３２】
また、本実施例の噴霧ノズル６１では、混合流体流路９、１０の噴出孔１１と反対側となる構造物１６の先端側の壁面前面に障害物となる凸状部１６ｂを設けたが、構造物１６の先端側の壁面前面ではなく、構造物１６の先端側の壁面側面に混合流体流路９、１０内側に障害物となるように突出した曲面状の凸状部１６ｂを設けても、混合流体流路９、１０の流路断面積を狭めることになるので、上記した効果を得ることが可能である。【０１３３】
本実施例の噴霧ノズル６１を採用すれば、噴霧用媒体の使用量の抑制や圧力の低減により、各々の供給や加圧力に使用なエネルギー消費量を低減できる。また、噴霧用媒体として蒸気を用いる場合、燃焼装置内に投入された蒸気による燃焼装置での熱効率が低下するが、本実施例の噴霧ノズルを用いると、蒸気の使用量を減らしても微粒化を維持できるため、熱効率の低下を防ぐことができる。【０１３４】
尚、本実施例の噴霧ノズル６１では、混合流体８を噴霧ノズル６１の外部に噴霧する出口孔１１が単一の場合を示したが、出口孔１１を複数設けた場合にも本実施例の噴霧ノズル６１では、出口孔１１近傍の混合流体流路９、１０の第２の合流部９２に面した構造物１６の壁面に混合流体流路９、１０内に突出した曲線形状の凸状部１６ｂを設けて図５〜図７に示したように該混合流体流路９、１０の流路幅方向全体に亘って流路断面が狭まる縮流部１７を設けることで混合流体８の微粒化効果は得られる。【０１３５】
また、噴霧ノズル６１の出口孔１１を増やす、いわゆる多孔化により、ひとつの出口孔１１から噴霧する混合流体８の噴出量を多くせずに、噴霧ノズル１から噴霧する混合流体８の噴出量を増やすことができる。すなわち、出口孔１１の多孔化により微粒化性能を維持しながら噴霧ノズル１の大容量化が可能となる。【０１３６】
本実施例によれば、図６に示したように、噴霧流体の粒子径が比較的大きくなる扇型噴霧の噴霧中央部１８中央部１８の微粒化を促進して、噴霧流体全体の微粒化の促進と、噴霧流体の微細化に用いる噴霧用媒体の使用量の低減または加圧力の低減とを両立させて燃焼効率を向上させた噴霧ノズルが実現できる。
【実施例３】
【０１３７】
次に本発明の第２実施例の噴霧ノズル１または第２実施例の噴霧ノズル６１を備えた本発明の第３実施例である噴霧ノズルを備えたバーナについて図８を用いて説明する。【０１３８】
図８に示した本実施例の噴霧ノズルを備えたバーナに用いられる噴霧ノズル１及び６１は、図１〜図４に示した第１実施例の噴霧ノズル１、並びに図５〜図７に示した第２実施例の噴霧ノズル６１であり、よって両実施例の噴霧ノズル１、６１と共通した構成の説明は省略する。【０１３９】
図８に本実施例の噴霧ノズルを備えたバーナの一例を示す。図８に示した本実施例の噴霧ノズル１または６１を備えたバーナ２０において、本実施例のバーナ２０ではバーナ２０の中心軸２１の先端には、図１〜図３に示した噴霧流体と噴霧用媒体との混合流体８を噴霧する噴霧ノズル１、または図５〜図７に示した噴霧流体と噴霧用媒体との混合流体８を噴霧する噴霧ノズル６１を備え、この中心軸２１の先端近くに火炎安定用の障害物２２を備えている。【０１４０】
中心軸２１に備えた前記障害物２２としては旋回流発生用の旋回羽根やスリットを有する邪魔板などが一般的である。噴霧ノズル１または６１からは噴霧流体２と噴霧用媒体３とを混合した混合流体８を噴霧して、図２及び図６に示した第１実施例及び第２実施例の噴霧ノズル１または６１の場合と同様に、扇型の噴霧２３が形成される。【０１４１】
バーナ２０の燃焼用空気はウインドボックス２４から３つの流路に分かれて供給される。中心の噴霧ノズル１に近い方から、１次流路２５、２次流路２６、３次流路２７である。１次流路２５、２次流路２６、３次流路２７からそれぞれ１次空気２８、２次空気２９、３次空気３０として供給されて火炉内３１に噴出する。【０１４２】
これらの燃焼用空気はウインドボックス２４の２次流路２６及び３次流路２７内にそれぞれ設置した旋回流発生器３２、３３や、２次流路２６と３次流路２７との間の出口側に設置したガイド板３４によって燃焼用空気の噴出方向を変えて火炉内３１に供給され、ばいじんやＮＯｘの発生を抑制する。【０１４３】
なお、これらの燃焼用空気は前記各流路１５、２６、２７にそれぞれ設けたダンパ（図示せず）によってその流量を制御する。【０１４４】
バーナ２０は火炉３１の火炉壁３５に設置されおり、火炉壁３５には伝熱管３６を設けて熱回収を行っている。【０１４５】
本実施例の噴霧ノズル１または６１を備えたバーナ２０に供給される燃焼用空気は、後述する図９の第４実施例であるバーナを備えた燃焼装置に示したように、燃焼用空気供給系統４１から配管４５と４６に分岐され、それぞれバーナ２０と空気供給口４４から火炉３１内に噴出させて供給する。燃焼用空気をバーナ２０と空気供給口４４とに分けて火炉３１内に供給することで、バーナ２０で形成される火炎の温度を低減する。【０１４６】
さらに、バーナ２０の近傍の火炉３１内にて空気不足で燃焼することで燃料中に含まれる窒素分の一部が還元剤として生成し、燃焼で発生するＮＯｘを窒素に還元する反応が生じる。このため、火炉３１の出口でのＮＯｘ濃度はバーナ２０から全ての燃焼用空気を供給する場合に比べて低減させることができる。【０１４７】
また、空気供給口４４から残りの燃焼用空気を火炉３１内に供給し、燃料を完全燃焼させることで未燃焼分を低減する。空気供給口４４から供給された燃焼用空気と混合した燃焼ガス４７は、火炉３１の上部の熱交換器４８で熱交換された後に、煙道４９を通り、煙突５０から大気に放出される。【０１４８】
本実施例のバーナ２０に備えられた噴霧ノズル１は、図１〜図４に示した第１実施例の噴霧ノズル１、または図５〜図７に示した第２実施例の噴霧ノズル６１を採用しているので、燃料液体である噴霧流体を微粒化し、液体燃料の単位重量当たりの表面積が増加するので、燃焼反応が進み、燃焼装置出口での未燃焼分やばいじん、一酸化炭素が低減し、燃焼装置の燃焼効率を高くできる。【０１４９】
また、燃焼反応を早く進めることで、酸素の消費が進み、窒素酸化物の発生を抑えることができる。さらに、未燃焼分やばいじん、一酸化炭素が低減することで、燃焼装置に投入する余剰な空気を削減できる。【０１５０】
そして余剰な空気を減少させることによって燃焼排ガス量も低下し、燃焼排ガスとともに燃焼装置外に放出される顕熱を低下させ、燃焼装置の熱効率を高めることができる。【０１５１】
本実施例の噴霧ノズルを備えたバーナ２０では、前記バーナ２０に供給する噴霧用媒体の使用量の抑制や圧力の低減により、噴霧用媒体の供給や加圧力に使用なエネルギー消費量を低減できる。【０１５２】
また、噴霧用媒体として蒸気を用いる場合、燃焼装置内に投入された蒸気による燃焼装置での熱効率が低下するが、本発明の噴霧ノズルを用いると、蒸気の使用量を減らしても微粒化を従来と同等に維持できるため、熱効率の低下を防ぐことができる。【０１５３】
また、本実施例の噴霧ノズルを備えたバーナ２０では、燃料として液体燃料を使用する場合を示したが、主燃料として微粉炭等の固体燃料を使用し、補助燃料として液体燃料を使用する場合も適用可能である。この場合、噴霧ノズル１または６１から液体燃料を火炉内に噴霧する場合に上記の効果が得られる。【０１５４】
本実施例によれば、噴霧流体の粒子径が比較的大きくなる噴霧の中央部の微粒化を促進して噴霧流体全体の微粒化の促進と、噴霧流体の微細化に用いる噴霧用媒体の使用量の低減または加圧力の低減とを両立させて燃焼効率を向上させた噴霧ノズルを備えたバーナが実現できる。
【実施例４】
【０１５５】
次に本発明の第４実施例であるバーナを備えた燃焼装置について図９を用いて説明する。【０１５６】
図９に示した本実施例のバーナ２０を備えた燃焼装置６０に用いられる噴霧ノズル１または６１は、図１〜図４に示した第１実施例の噴霧ノズル１、または図５〜図７に示した第２実施例の噴霧ノズル６１と同じものであり、噴霧ノズル１または６１を備えたバーナ２０は図８に示した第２実施例のバーナ２０と同じものであることから、これらの実施例に共通した構成の説明は省略する。【０１５７】
図９に本実施例のバーナを備えた燃焼装置の一例を示す。図９に示した本実施例のバーナ２０を備えた燃焼装置６０において、本実施例の燃焼装置６０では噴霧ノズル１または６１を備えたバーナ２０は図９に示されるように火炉３１の火炉壁３５に複数個設置される。【０１５８】
噴霧ノズル１または６１を備えた前記バーナ２０には燃焼用空気供給系統４１、液体燃料供給系統４２、及び噴霧用媒体供給系統４３がそれぞれ接続されている。【０１５９】
また、燃料として前記バーナ２０に固体燃料を供給する場合には、固体燃料供給系統（図示せず）が更に配設されるように構成している。【０１６０】
本実施例のバーナ２０を備えた燃焼装置６０に設置したバーナ２０は、図１〜図４に示した第１実施例の噴霧ノズル１、または図５〜図７に示した第２実施例の噴霧ノズル６１が備えられており、このバーナ２０に燃焼用空気を供給する燃焼用空気供給系統４１から、前記バーナ２０に接続する配管４５と、前記バーナ２０の下流側となる火炉３１の火炉壁３５に設けられた空気供給口４４に接続する配管４６とが分岐して配設されている。【０１６１】
前記燃焼用空気供給系統４１から分岐した配管４５と配管４６には、供給する空気の流量を調節する流量調節弁（図示せず）が設置されている。【０１６２】
また、前記液体燃料供給系統４２と噴霧用媒体供給系統４３には、それぞれの上流側に液体燃料や噴霧用媒体の圧力及び流量を調整する供給器（図示せず）が接続されており、これらの液体燃料供給系統４２と噴霧用媒体供給系統４３の下流端に図１〜図４に示した第１実施例の噴霧ノズル１、または図５〜図７に示した第２実施例の噴霧ノズル６１が設置されている。【０１６３】
本実施例の燃焼装置６０に備えられたバーナ２０には、供給される燃焼用空気は燃焼用空気供給系統４１から配管４５と配管４６に分岐され、バーナ２０と空気供給口４４からそれぞれ火炉３１内に噴出することになる。【０１６４】
燃焼用空気を燃焼用空気供給系統４１から配管４５と配管４６に分岐して供給することで、前記バーナ２０から噴霧されて火炉３１内に形成される火炎の温度を低減させる。【０１６５】
さらに、本実施例のバーナ２０を備えた燃焼装置６０においては、バーナ２０の近傍の火炉３１内にて空気不足で燃料の噴霧流体を燃焼させることで燃料中に含まれる窒素分の一部が還元剤として生成し、燃焼で発生するＮＯｘを窒素に還元する反応が生じる。【０１６６】
このため、火炉３１の出口でのＮＯｘ濃度はバーナ２０から全ての燃焼用空気を火炉３１内に供給する場合に比べて低減させることができる。【０１６７】
また、燃焼用空気供給系統４１から分岐した配管４６を通じて空気供給口４４から残りの燃焼用空気を火炉３１内に供給し、燃料の噴霧流体を完全燃焼させることで未燃焼分を低減する。【０１６８】
前記空気供給口４４から供給された燃焼用空気と混合した燃焼ガス４７は、火炉３１の上部に設置された熱交換器４８で熱交換した後に、煙道４９を通り、煙突５０から大気に放出される。【０１６９】
また、本実施例の燃焼装置６０に備えられたバーナ２０に図１〜図４に示した第１実施例１の噴霧ノズル１、または図５〜図７に示した第２実施例の噴霧ノズル６１を採用することによって、液体燃料の燃料流体を微粒化して噴霧することにより液体燃料の単位重量当たりの表面積が増加するので、燃焼反応が進み、燃焼装置６０の出口での未燃焼分や、ばいじん、一酸化炭素が低減し、燃焼装置の燃焼効率を高くすることができる。【０１７０】
また、燃焼反応を早く進めることで、酸素の消費が進み、窒素酸化物の発生を抑えることができる。さらに、未燃焼分や、ばいじん、一酸化炭素が低減することで、燃焼装置に投入する余剰な空気を削減できる。余剰な空気が減ると、燃焼排ガス量も低下し、燃焼排ガスとともに燃焼装置外に放出される顕熱を低下させ、燃焼装置の熱効率を高めることができる。【０１７１】
噴霧用媒体の使用量の抑制や圧力の低減により、各々の供給や加圧力に使用なエネルギー消費量を低減できる。また、噴霧用媒体として蒸気を用いる場合、燃焼装置内に投入された蒸気による燃焼装置での熱効率が低下するが、前記した第１実施例の噴霧ノズル１または第２実施例の噴霧ノズル６１を前記バーナ２０に用いることで、蒸気の使用量を減らしても微粒化を維持できるため、燃焼装置の熱効率の低下を防ぐことができる。【０１７２】
図９に示す本実施例のバーナ２０を備えた燃焼装置６０においては、燃焼用空気を燃焼用空気供給系統４１から配管４５及び配管４６に分岐してバーナ２０及び空気供給口４４との双方から火炉３１内に供給する例を示したが、燃焼用空気をバーナ２０からのみ火炉３１内に供給する場合にも図８に示した第２実施例の噴霧ノズル１または６１を備えたバーナ２０を適用することができる。【０１７３】
また、図９に示す本実施例のバーナを備えた燃焼装置では、火炉３１を構成する１つの火炉壁３５に図８に示した第２実施例のバーナ２０を設けた場合を示したが、火炉３１を構成する複数の火炉壁３１に前記バーナ２０を設けた場合や、火炉３１を構成する火炉壁３１の角部に前記バーナ２０を設けた場合にも適用できる。【０１７４】
本実施例によれば、噴霧流体の粒子径が比較的大きくなる噴霧の中央部の微粒化を促進して噴霧流体全体の微粒化の促進と、噴霧流体の微細化に用いる噴霧用媒体の使用量の低減または加圧力の低減とを両立させて燃焼効率を向上させた噴霧ノズルを有するバーナを備えた燃焼装置が実現できる。
【産業上の利用可能性】
【０１７５】
本発明は噴霧用媒体を利用して噴霧流体を微粒化する噴霧ノズル、この噴霧ノズルを備えたバーナ、及びこのバーナを備えた燃焼装置にそれぞれ適用可能である。
【符号の説明】
【０１７６】
１：噴霧ノズル、２：噴霧流体、３：噴霧用媒体、４、５：噴霧流体流路、６、７：噴霧用媒体流路、８：混合流体、９、１０：混合流体流路、１１：出口孔、１２：溝部、１３、１４：屈曲部、１５：隔壁、１６：構造物、１６ａ、１６ｂ：凸状部、１７：縮流部、１８：扇型の噴霧中央部、１９：扇型の噴霧外縁部、２０：バーナ、２１：同軸流路構成部材、２２：障害物、２３：噴霧、２４：ウインドボックス、２５：１次流路、２６：２次流路、２７：３次流路、２８：１次空気の流れ、２９：２次空気の流れ、３０：３次空気の流れ、３１：火炉、３２、３３：旋回流発生器、３４：ガイド板、３５：火炉壁、３６：伝熱管、４１：燃焼用空気供給系統、４２：液体燃料供給系統、４３：噴霧用媒体供給系統、４４：空気供給口、４５、４６：配管、４７：燃焼ガスの流れ、４８：熱交換器、４９：煙道、５０：煙突、６０：燃焼装置、６１：噴霧ノズル、９１：第１の合流部、９２：第２の合流部。
【図１】
0006053815.tif 000002
【図２】
0006053815.tif 000003
【図３】
0006053815.tif 000004
【図４】
0006053815.tif 000005
【図５】
0006053815.tif 000006
【図６】
0006053815.tif 000007
【図７】
0006053815.tif 000008
【図８】
0006053815.tif 000009
【図９】
0006053815.tif 000010